(57)【特許請求の範囲】
【請求項１】
車両に搭載されるホスト装置との無線通信が可能な携帯型情報処理装置であって、
前記携帯型情報処理装置と前記ホスト装置との間の無線接続を確立する接続手段と、
前記ホスト装置の状態が、前記携帯型情報処理装置内に格納されている第１の設定情報によって示される個人設定を前記車両に適用可能な第１状態であるか否かを、前記無線接続を介して前記ホスト装置に問い合わせる第１の問い合わせ手段と、
前記ホスト装置が前記第１状態である場合、前記第１の設定情報を、前記無線接続を介して前記ホスト装置にアップロードするアップロード手段と、
前記ホスト装置の状態が、前記個人設定が前記車両に適用されている第２の状態であるか否かを、前記無線接続を介して前記ホスト装置に問い合わせる第２の問い合わせ手段と、
前記ホスト装置が前記第２の状態である場合、前記第１の設定情報に関連し且つ前記車両の現在の設定内容を示す第２の設定情報を前記無線接続を介して前記ホスト装置からダウンロードし、前記第２の設定情報の内容を前記携帯型情報処理装置内の前記第１の設定情報に反映するダウンロード手段とを具備する携帯型情報処理装置。
【請求項２】
前記ダウンロード手段は、前記ホスト装置が動作を終了する場合に、前記ダウンロードを実行する請求項１記載の携帯型情報処理装置。
【請求項３】
前記接続手段は、前記携帯型情報処理装置と前記ホスト装置とが近接状態になった場合、前記無線接続を確立することを開始する請求項１記載の携帯型情報処理装置。
【請求項４】
前記接続手段は、前記ホスト装置が起動したことをトリガとして、前記無線接続を確立することを開始する請求項１記載の携帯型情報処理装置。
【請求項５】
前記接続手段は、ユーザからの指示に基づき、前記無線接続を確立することを開始する請求項１記載の携帯型情報処理装置。
【請求項６】
前記第１の設定情報、および前記ホスト装置とは異なる第２のホスト装置に関連付けられた別の個人設定を示す別の設定情報を格納する格納手段をさらに具備する請求項１記載の携帯型情報処理装置。
【請求項７】
車両に搭載可能なホスト装置であって、
前記ホスト装置と携帯型情報処理装置との間の無線接続を確立する接続手段と、
前記ホスト装置の状態を管理する管理手段と、
前記管理されている状態が、前記携帯型情報処理装置内に格納されている第１の設定情報によって示される個人設定を前記車両に適用可能な第１状態である場合、前記携帯型情報処理装置からのアップロード要求に応じて、前記無線接続を介して前記携帯型情報処理装置から前記第１の設定情報を受信する受信手段と、
前記受信された前記第１の設定情報によって示される前記個人設定を前記車両の設定に適用させる制御手段と、
前記管理されている状態が前記個人設定が前記車両に適用されている第２の状態である場合、前記携帯型情報処理装置からのダウンロード要求に応じて、前記第１の設定情報に関連し且つ前記車両の現在の設定内容を示す第２の設定情報が前記携帯型情報処理装置内の前記第１の設定情報に反映されるように前記第２の設定情報を、前記無線接続を介して前記携帯型情報処理装置に送信する送信手段と、
前記第２の設定情報の送信後に、前記第２の設定情報を消去する消去手段とを具備するホスト装置。
【請求項８】
前記送信手段は、前記ホスト装置の動作を終了するための終了イベントが発生し、且つ前記管理されている状態が前記第２の状態である場合、前記携帯型情報処理装置からの前記ダウンロード要求に応じて、前記第２の設定情報を前記携帯型情報処理装置に送信する請求項７記載のホスト装置。
【請求項９】
前記管理されている状態が前記第２の状態である場合、前記携帯型情報処理装置と異なる第２の携帯型情報処理装置からの個人設定のアップロード要求、及び前記第２の携帯型情報処理装置からの前記第２の設定情報を取得するためのダウンロード要求、を拒否する権限管理手段をさらに具備する請求項７記載のホスト装置。
【請求項１０】
前記制御手段は、前記送信手段によって前記第２の設定情報が送信された後、前記車両の設定を、複数のユーザに共通する設定に変更する請求項７記載のホスト装置。
【請求項１１】
車両に搭載されるホスト装置との無線通信が可能な携帯型情報処理装置を使用して前記車両を制御する車両制御方法であって、
前記携帯型情報処理装置と前記ホスト装置との間の無線接続を確立し、
前記ホスト装置の状態が、前記携帯型情報処理装置内に格納されている第１の設定情報によって示される個人設定を前記車両に適用可能な第１状態であるか否かを前記無線接続を介して前記ホスト装置に問い合わせる処理を、前記携帯型情報処理装置に実行させ、
前記ホスト装置が前記第１状態である場合、前記携帯型情報処理装置に、前記第１の設定情報を前記無線接続を介して前記ホスト装置にアップロードさせ、
前記ホスト装置の状態が前記個人設定が前記車両に適用されている第２の状態であるか否かを前記無線接続を介して前記ホスト装置に問い合わせる処理を、前記携帯型情報処理装置に実行させ、
前記ホスト装置が前記第２の状態である場合、前記携帯型情報処理装置に、前記第１の設定情報に関連し且つ前記車両の現在の設定内容を示す第２の設定情報を前記無線接続を介して前記ホスト装置からダウンロードさせ、
前記携帯型情報処理装置に、前記第２の設定情報の内容を前記携帯型情報処理装置内の前記第１の設定情報に反映させる車両制御方法。
【発明の詳細な説明】
【技術分野】
【０００１】
本発明の実施形態は、自動車のような車両の制御に使用される、携帯型情報処理装置、ホスト装置、及び車両制御方法に関する。
【背景技術】
【０００２】
近年、自動車のような車両の分野においては、“ドライビングポジション”等のような個人設定を自動的に車両に反映させるための技術が注目されている。
【０００３】
車両には、この車両を制御するためのホスト情報機器が搭載されている。このホスト情報機器は、例えば、自動車の電子キーのＩＤを認識し、この電子キーのＩＤに対応する個人設定情報を記憶装置からロードする。そして、ホスト情報機器は、このロードされた個人設定情報に従って車両の設定を行う。
【０００４】
また、近年、カーシェアリングと呼ばれるような、自動車を共有して使用することが普及しつつある。カーシェアリングでは、複数のユーザが１台の自動車を共有する。そのため、複数のユーザに対応した複数の個人設定をホスト情報機器の記憶装置に予め格納しておくことが必要となる。さらに、ある１台の自動車に対して、異なるＩＤを有する複数の電子キーを用意することが必要とされる。これは、１台の自動車を共有するユーザそれぞれが異なるＩＤの電子キーを使用できるようにするためである。
【先行技術文献】
【特許文献】
【０００５】
【特許文献１】特開２００６−８１２６号公報
【発明の概要】
【発明が解決しようとする課題】
【０００６】
このように、カーシェアリングにおいては、ホスト情報機器に複数のユーザそれぞれに対応する複数の個人設定情報を格納しなければならない。しかしながら、１台の自動車を共有するユーザの数が増加した場合、複数の個人設定情報を格納するために、ホスト情報機器内のメモリ容量を増加させなければならない。また、カーシェアリングにおいては、一人のユーザが複数の自動車を使用する場合がある。この場合、このユーザに対応する個人設定情報を、これら複数の自動車の各々内のホスト情報機器に予め格納しておかなければならない。
【０００７】
したがって、複数の個人設定情報をホスト情報装置に格納することによるメモリ容量の肥大化を防ぐことが求められる。さらに、複数の自動車の各々内のホスト情報機器に個人設定情報を予め格納しておくような方式を用いず、これら複数の自動車の各々内のホスト情報機器に個人設定を設定することができるような方式を実現することが求められる。
【０００８】
本発明は、個人設定を容易に車両に適用することができる携帯型情報処理装置、ホスト装置、及び車両制御方法を提供することを目的とする。
【課題を解決するための手段】
【０００９】
実施形態によれば、車両に搭載されるホスト装置との無線通信が可能な携帯型情報処理装置は、接続手段、第１の問い合わせ手段、アップロード手段、第１の問い合わせ手段、第２の問い合わせ手段、およびダウンロード手段とを具備する。前記接続手段は、前記携帯型情報処理装置と前記ホスト装置との間の無線接続を確立する。前記第１の問い合わせ手段は、前記ホスト装置の状態が、前記携帯型情報処理装置内に格納されている第１の設定情報によって示される個人設定を、前記車両に適用可能な第１状態であるか否かを、前記無線接続を介して前記ホスト装置に問い合わせる。前記アップロード手段は、前記ホスト装置が前記第１状態である場合、前記第１の設定情報を、前記無線接続を介して前記ホスト装置にアップロードする。前記第２の問い合わせ手段は、前記ホスト装置の状態が、前記個人設定が前記車両に適用されている第２の状態であるか否かを、前記無線接続を介して前記ホスト装置に問い合わせる。前記ダウンロード手段は、前記ホスト装置が前記第２の状態である場合、前記第１の設定情報に関連し且つ前記車両の現在の設定内容を示す第２の設定情報を前記無線接続を介して前記ホスト装置からダウンロードし、前記第２の設定情報の内容を前記携帯型情報処理装置内の前記第１の設定情報に反映する。
【図面の簡単な説明】
【００１０】
【図１】実施形態に係る携帯型情報処理装置とホスト装置とを含むシステムの概要を示す図。
【図２】同実施形態に係る携帯型情報処理装置のシステム構成を示すブロック図。
【図３】同実施形態に係るホスト装置のシステム構成を示すブロック図。
【図４】同実施形態に係る携帯型情報処理装置によって実行される個人設定情報アップロード処理の一例を示す図。
【図５】同実施形態に係る携帯型情報処理装置によって実行される個人設定情報ダウンロード処理の一例を示す図。
【図６】同実施形態に係る携帯型情報処理装置によって実行される個人設定情報アップロード処理の手順の一例を説明するためのフローチャート。
【図７】同実施形態に係る携帯型情報処理装置によって実行される個人設定情報ダウンロード処理の手順の一例を説明するためのフローチャート。
【発明を実施するための形態】
【００１１】
以下、実施の形態について図面を参照して説明する。始めに、図１を参照し、本実施形態のシステムの概要を説明する。  
本実施形態のシステムは、複数のユーザが自動車のような車両（車）を共有するカーシェアリングに好適な車載システムである。カーシェアリングでは、１台の自動車が、複数のユーザ（複数のドライバー）によって使用される。
【００１２】
ところで、ユーザが自動車を運転する際、運転する自動車に対してユーザに固有の設定（以下、個人設定情報と称す。）を行うことができる。個人設定情報とは、自動車のような車両（車）に関する個人設定を示す設定情報であり、例えば“ドライビングポジション”等のようなユーザにとって最適な運転を行うために必要な設定情報である。つまり、個人設定情報は、ユーザ各々に対して異なる設定情報である。そのため、カーシェアリングを行う場合、複数のユーザが１台の自動車を交代で利用するため、ユーザは自動車を利用する度に、個人設定情報を自動車に対して設定しなければならない。
【００１３】
図１に示されているように、本実施形態のシステムは、少なくとも、携帯型情報機器１とホスト情報機器２とを備える。  
携帯型情報機器１は、ホスト装置２と情報をやり取り可能な携帯型情報処理装置である。携帯型情報機器１は、例えば、ノートブックタイプのパーソナルコンピュータ、またはタブレットタイプのパーソナルコンピュータ等である。ホスト情報機器２は、ユーザ操作に応じて車両を制御可能なホスト装置である。ホスト情報機器２は、携帯型情報機器１と情報をやり取り可能に構成されている。ホスト情報機器２は、自動車のような車両に予め搭載される。例えば、車両内の幾つかの装備または機能に関する設定、例えば、運転シートの設定、オーディオ・ビデオ機器の設定、ナビゲーション装置の設定、エアコンの設定、等がホスト情報機器２によって制御される。なお、ホスト情報機器２が、オーディオ・ビデオ機能およびナビゲーション機能等の有していてもよい。このため、上述の個人設定情報は、ホスト情報機器２に関する設定情報でるともいえる。
【００１４】
また、携帯型情報機器１とホスト情報機器２との間は無線で通信すること（以下、無線接続と称す。）が可能である。この無線接続によって、携帯型情報機器１とホスト情報機器２との間で、個人設定情報を送信及び受信することができる。
【００１５】
図１で、携帯型情報機器１は、車を共有する複数のユーザ内のあるユーザによって所有されている携帯型情報処理装置である。携帯型情報機器１は、ホスト情報機器２に携帯型情報機器１に格納されている個人設定情報（個人設定Ａ）を送信する（以下、アップロードと称す）。その後、携帯型情報機器１は、ホスト情報機器２から個人設定情報（個人設定Ｂ）を受信する（以下、ダウンロードと称す）。
【００１６】
アップロードは、例えば、自動車のエンジンがＯＦＦの状態からＯＮの状態に変化することをトリガとして、自動的に行われる。ダウンロードは、例えば、自動車のエンジンがＯＮの状態からＯＦＦの状態に変化することをトリガとして、自動的に行われる。つまり、ユーザが自動車の利用を開始することによって、ユーザの個人設定Ａが自動車に対して自動的に適用（反映）される。そして、ユーザが自動車の利用を終了する際には、自動車に対して現在設定されている設定内容を示す個人設定Ｂが携帯型情報機器１に保存される。ユーザによるホスト情報機器２のマニュアル操作によって車両の設定が変更されていないならば、個人設定Ｂは個人設定Ａと同一である。しかし、もしユーザによるホスト情報機器２のマニュアル操作等によって車両の設定が変更されたならば、個人設定Ｂは、個人設定Ａとは異なっている。このため、現在の個人設定情報（個人設定Ｂ）は、個人設定情報（個人設定Ａ）に関連し且つ車の現在の設定内容を示す情報である。したがって、例えば自動車のエンジンのＯＦＦをトリガに、自動車の現在の設定（個人設定Ｂ）を携帯型情報機器１にダウンロードすることにより、運転中に更新された最新の個人設定の内容を携帯型情報機器１にバックアップすることができる。この場合、個人設定Ｂの内容は携帯型情報機器１内の個人設定Ａに反映される。携帯型情報機器１内の個人設定Ａは最新の状態に更新されてもよい。これにより、次回の運転開始時には、前回の運転終了時に更新された最新の個人設定Ａを車に自動的に適用（反映）することができる。
【００１７】
このように、本実施形態では、携帯情報機器１側に当該車に関する個人設定情報を保持しており、例えば、車のエンジンをＯＮした時に車のホスト情報機器２に対して個人設定をアップロードすることにより個人設定を車（各種車載機器）に適用し、車のエンジンをＯＦＦした時に車のホスト情報機器２から携帯情報機器１に現在の個人設定をダウンロードし、この個人設定を示す情報を携帯情報機器１に保存するものである。これにより、ユーザは個人の所有物である携帯情報機器１に保持されている個人設定情報を用いて、共有する車の設定を自動的に行うことが可能となり、また、１つの携帯情報機器１で車種ごとに個人設定情報を保持（プロファイル化）することも可能となる。さらに、ホスト情報機器２側においては、個人毎の設定情報を保持する必要が無いため、メモリの肥大化を防ぐことができる。このため、ホスト情報機器２側のメモリが許容する範囲の中で、“ドライビングポジション”だけでなく、“ナビゲーション履歴”、および、“音楽・動画のプレイリスト”等、他の設定情報もアップロード可能となる。
【００１８】
例えば、ユーザが自動車を利用している間のみ、携帯型情報機器１に保存されている個人設定情報がホスト情報機器２に設定される。そのため、個人設定情報は、ホスト情報機器２には常には保存されない。また、個人設定情報は、自動車のエンジンのＯＮ／ＯＦＦの切り替え、あるいは自動車のドアのロックの解除／ロックの切り替えに基づき、自動で設定される。そのため、ユーザは、個人設定情報を設定するために必要な複雑な操作をしなくてもよい。
【００１９】
次に、図２を参照し、携帯型情報機器１のシステム構成の一例について説明する。  
携帯型情報機器１は、システム制御部４０１、ＲＯＭ４０２、ＲＡＭ４０３、無線通信部４０４、接続管理部４０５、ホスト情報機器状態監視部４０６、個人設定反映部４０７、個人設定取得部４０８、及び近接検出部４０９等を備える。これらコンポーネントはバスを介して相互接続されている。
【００２０】
システム制御部４０１は、中央処理装置（ＣＰＵ）４０１ａを備えている。ＲＯＭ４０２は、各種アプリケーションプログラム、及び図２に示されるような携帯型情報機器１内の各機能ブロックを制御するためのドライバプログラム等を格納する。ＣＰＵ４０１ａは、携帯型情報処機器１内の各部の動作を制御するプロセッサである。ＣＰＵ４０１ａは、例えば、ＲＯＭ４０２からＲＡＭ４０３にロードされる、各種アプリケーションプログラムおよび各種ドライバプログラム等を実行する。
【００２１】
ＲＯＭ４０２は、さらに、個人設定格納部４０２ａを備える。個人設定格納部４０２ａは、個人設定情報を格納する。この個人設定情報は、車両に対する個人設定を示す設定情報である。ＲＯＭ４０２は電気的に書き換え可能な不揮発性メモリであってもよい。ＲＡＭ４０３は、処理中のデータ及びスタックを格納する。  
無線通信部４０４は、無線通信を実行する通信部である。無線通信部４０４は、外部デバイス（例えば、ホスト情報機器２）と携帯型情報機器１との間に確立された無線接続（リンク）を介して外部デバイス（例えば、ホスト情報機器２）との通信を実行する。  
接続管理部４０５は、無線通信部４０４の無線接続（リンク）の確立および切断を行う。より詳しくは、接続管理部４０５は、無線通信部４０４を制御して、無線通信部４０４と外部デバイスとの間の無線接続を確立する処理、および無線通信部４０４を制御して、無線通信部４０４と外部デバイスとの間の無線接続を解除（切断）する処理を実行する。
【００２２】
接続管理部４０５は、例えば、ホスト情報機器２が起動したことをトリガとして、ホスト情報機器２と携帯型情報機器１（無線通信部４０４）との間の無線接続を確立する処理を自動的に開始する。ホスト情報機器２の起動の要因は、例えば、車のエンジンのオン、電子キー等による車のドアのロックの解除、等である。
【００２３】
ホスト情報機器状態監視部４０６は、ホスト情報機器２の現在の状態を取得し、ホスト情報機器２の状態が個人設定情報をホスト情報機器２に設定可能な状態であるか否か、およびホスト情報機器２の状態が個人設定情報をホスト情報機器２から取得可能な状態であるか否かを監視する。ホスト情報機器２の状態は、「初期設定状態」と「個人設定完了状態」とに大別される。
【００２４】
「初期設定状態」は、個人設定情報をホスト情報機器２（車）に適用（反映）可能な状態である。より詳しくは、「初期設定状態」とは、携帯型情報機器１内に格納されている個人設定情報によって示される個人設定を、ホスト情報機器２つまり車に適用可能な状態を意味する。「個人設定完了状態」は、個人設定情報をホスト情報機器２から取得可能な状態である。より詳しくは、「個人設定完了状態」とは、携帯型情報機器１内に格納されている個人設定情報によって示される個人設定がホスト情報機器２つまり車に適用されている状態を意味する。
【００２５】
また、ホスト情報機器状態監視部４０６は、第１問い合せ部４０６ａ及び第２問い合せ部４０６ｂを備える。第１問い合わせ部４０６ａは、ホスト情報機器２の状態が、個人設定情報によって示される個人設定を車に適用可能な上述の「初期設定状態」（第１の状態）であるか否かを、無線接続を介してホスト情報機器２に問い合わせる。第２問い合わせ部４０６ｂは、ホスト情報機器２の状態が車に適用されている現在の個人設定をホスト情報機器２から取得可能な状態であるか否か、つまり、ホスト情報機器２の状態が個人設定の適用が完了している上述の「個人設定完了状態」であるか否を、無線接続を介してホスト情報機器２に問い合わせる。
【００２６】
ホスト情報機器２の状態が「個人設定完了状態」であるか否かを問い合わせる処理は、例えば、ホスト情報機器２の動作を終了するための終了イベントの発生に応答して自動的に実行される。この終了イベントが発生する要因は、例えば、車のエンジンのオフ、電子キー等による車のドアのロック等である。なお、携帯型情報機器１はホスト情報機器２に対してホスト情報機器２の状態をポーリングする（定期的に問い合わせる）ことによってホスト情報機器２の状態を定期的に監視してもよい。これにより、ホスト情報機器２が「個人設定完了状態」であるか「初期設定状態」であるかを判定することができる。さらに、このポーリングにより、上述の「個人設定完了状態」、「初期設定状態」のみならず、ホスト情報機器２の他の様々な状態、例えば、ホスト情報機器２が終了処理を実行中の状態であるか否かや、ホスト情報機器２が起動開始されたか否か、等を検出することもできる。これにより、ユーザが携帯型情報機器１を何ら操作すること無く、現在の車の設定に関する情報を、ホスト情報機器２から携帯型情報機器１にダウンロードし、これによって携帯型情報機器１内に格納されている個人設定情報を最新の内容に更新することができる。
【００２７】
個人設定反映部４０７は、個人設定情報をホスト情報機器２にアップロードするためのアップロード部として機能する。個人設定反映部４０７は、ホスト情報機器状態監視部４０６によって監視されるホスト情報機器２の状態が「初期設定状態」であれば、個人設定格納部４０２ａに格納されている個人設定情報を無線接続を介してホスト情報機器２にアップロードする。一方、もしホスト情報機器２の状態が「初期設定状態」ではなく、「個人設定完了状態」であるならば、個人設定格納部４０２ａに格納されている個人設定情報をホスト情報機器２にアップロードする処理を実行しない。
【００２８】
このように、ホスト情報機器２への個人設定情報のアップロードはホスト情報機器２の状態が「初期設定状態」である場合にのみ行われる。したがって、ある携帯型情報機器からアップロードされた個人情報が既に車に適用されている場合には、この設定が、別の携帯型情報機器から新たにアップロードされる個人設定情報によって変更されてしまうことを防止することができる。
【００２９】
個人設定取得部４０８は、個人設定情報をホスト情報機器２からダウンロードするためダウンロード部として機能する。個人設定取得部４０８は、ホスト情報機器状態監視部４０６によって監視されるホスト情報機器２の状態が「個人設定完了状態」であれば、現在の個人設定情報をホスト情報機器２からダウンロードする。一方、ホスト情報機器２の状態が「個人設定完了状態」ではなく、「初期設定状態」あれば、個人設定取得部４０８は、個人設定情報をホスト情報機器２からダウンロードする処理を実行しない。
【００３０】
ホスト情報機器２が「初期設定状態」の場合には、車の現在の設定内容は、携帯型情報機器１に格納されている個人設定情報Ａとは全く関係の無い情報である場合がある。したがって、もしホスト情報機器２が「初期設定状態」であるにもかかわらず、ホスト情報機器２からの個人設定情報のダウンロードが実行されると、携帯型情報機器１に格納されている個人設定情報Ａの内容が誤って変更されてしまう可能性がある。本実施形態では、ホスト情報機器２からの個人設定情報のダウンロードはホスト情報機器２の状態が「個人設定完了状態」である場合にのみ実行される。したがって、携帯型情報機器１に格納されている個人設定情報Ａの内容が誤って初期設定値などに変更されてしまうことを防止することができる。
【００３１】
近接検出部４０９は、ホスト情報機器２と携帯型情報機器１との距離が近接状態となったことを検知する。また、近接検出部４０９はアンテナ４１０と接続されている。アンテナ４１０は、無線信号を送受信するために用いられる。例えば、アンテナ４１０を介して、携帯型情報機器１は、ホスト情報機器２から送信されている近接状態を検知するための無線信号を受信することができる。
【００３２】
次に、図３を参照し、ホスト情報機器２のシステム構成の一例について説明する。  
ホスト情報機器２は、ホスト情報機器２の起動および終了の間に、１つの携帯情報機器からのみの個人設定情報のアップロード、および、ダウンロードを許可する用に構成されている。
【００３３】
このホスト情報機器２は、システム制御部５０１、ＲＯＭ５０２、ＲＡＭ５０３、無線通信部５０４、接続管理部５０５、要求処理部５０６、状態管理部５０７、権限管理部５０８、及び近接検出部５０９等を備える。  
システム制御部５０１は、システムバス等を介して、ホスト情報機器２内で行われる処理に必要な制御を行う。システム制御部５０１は、中央処理装置（ＣＰＵ）５０１ａを備えている。ＣＰＵ５０１ａは、ホスト情報機器２内の各部の動作を制御するプロセッサである。ＣＰＵ５０１ａは、例えば、ＲＯＭ５０２からＲＡＭ５０３にロードされるアプリケーションプログラム等を実行する。
【００３４】
ＲＯＭ５０２は、アプリケーションプログラム、及び図３に示されるようなホスト情報機器２内の各機能ブロックを制御するためのドライバプログラム等を格納する。  
ＲＡＭ５０３は、ホスト情報機器２が動作中に処理されているデータ及びスタックを格納する。さらに、ＲＡＭ５０３は、個人設定格納部５０３ａを備える。個人設定格納部５０３ａは、個人設定情報を格納するための記憶領域である。
【００３５】
無線通信部５０４は、無線接続を行うための処理をする。無線通信部５０４は、例えば、無線接続を確立する際に必要な処理をする。  
接続管理部５０５は、接続の管理を行う。接続管理部５０５は、例えば、無線通信部５０４によって確立される無線接続の携帯型情報機器１とホスト情報機器２との間のリンクに関して、このリンクの確立またはリンクの切断を行うための処理をする。
【００３６】
要求処理部５０６は、携帯型情報機器１、例えば個人設定反映部４０７、から送信されたコマンド等の要求を受付け、その要求に対する処理を行う。また、要求処理部５０６は、取得部５０６ａ及び送信部５０６ｂを備えている。取得部５０６ａは、個人設定Ａをホスト情報機器２に設定するための携帯型情報機器１からのアップロード要求に応じて、携帯型情報機器１から個人設定Ａを受信する受信部として機能する。送信部５０６ｂは、個人設定Ｂを携帯型情報機器１にダウンロードするためのダウンロード要求に応じて、ホスト情報機器２が個人設定Ｂを携帯型情報機器１に送信するための送信処理を行う。なお、受信処理及び/または送信処理は、状態管理部５０７の状態に基づき、各々の処理を行うかどうか判断してもよい。この場合、取得部５０６ａは、ホスト情報機器２の状態が個人設定を車両に適用可能な「初期状態」である場合は、携帯型情報機器１からのアップロード要求に応じて、無線接続を介して携帯型情報機器１から個人設定情報Ａを受信する。携帯型情報機器１から受信された個人設定情報Ａに基づき、ＣＰＵ５０１ａは、個人設定情報Ａによって示される個人設定を車に適用する。
【００３７】
また、ＣＰＵ５０１ａは、ユーザによるホスト情報機器２の入力装置（タッチパネル、ボタンスイッチ、他の各種ユーザインターフェース等）の操作に応じて、車の設定を変更することもできる。送信部５０６ｂは、ホスト情報機器２の状態が個人設定が車両に適用されている「個人設定完了状態」である場合は、携帯型情報機器１からのダウンロード要求に応じて、現在の設定内容を示す個人設定情報Ｂを、無線接続を介して携帯型情報機器１に送信する。
【００３８】
状態管理部５０７は、ホスト情報機器２の状態を管理する。この状態とは、上述したような初期設定状態または個人設定完了状態等である。  
権限管理部５０８は、個人設定情報を変更するための権限を管理する。このように、状態管理部５０７によって管理されている状態が携帯型情報機器１の個人設定Ａが適用されている個人設定完了状態（第２の状態）である場合、権限管理部５０８は、携帯型情報機器１と異なる第２の携帯型情報機器からの個人設定のアップロード要求、及び車両の現在の個人設定Ｂを取得するための第２の携帯型情報機器からのダウンロード要求、を拒否することができる。
【００３９】
近接検出部５０９は、ホスト情報機器２と携帯型情報機器１との距離が近接状態となったことを検知する。また、近接検出部５０９はアンテナ５１０と接続されている。アンテナ５１０は、無線信号を送受信するために用いられる。例えば、アンテナ５１０を介して、ホスト情報機器２は、携帯型情報機器１がホスト情報機器２に近接していることを示す信号を受信することができる。また、アンテナ５１０を介して、ホスト情報機器２は、ホスト情報装置２の周囲に携帯型情報機器１を検出するための信号を送信することができる。
【００４０】
次に、図４を参照し、個人設定情報をアップロードする場合における携帯型情報機器１とホスト情報機器２との間で行われる処理のタイミングの一例について説明する。  
始めに、ホスト情報機器２は、ユーザによって自動車のエンジンがＯＮにされると、起動処理を開始する（２０１ａ）。起動処理完了後、ホスト情報機器２は初期設定状態となる（２０２ａ）。その後、ホスト情報機器２と携帯型情報機器１との間で無線接続が確立される（２０３ａ）。ホスト情報機器２と携帯型情報機器１との間の無線接続を確立するための処理では、例えば、ホスト情報機器２または携帯型情報機器１のいずれか一方が接続要求信号を送信し、他方が接続要求信号の受諾を示す応答信号を送信するようにしてもよい。携帯型情報機器１は、ホスト情報機器２の状態の監視を開始する（２０４ａ）。ホスト情報機器２の状態の監視は、例えば、携帯型情報機器１が、ホスト情報機器２の状態を問い合わせるための状態取得要求信号をホスト情報機器２へ送信すること、によって行われる。ホスト情報機器２の状態が「初期設定状態」であれば、ホスト情報機器２は、「初期設定状態」であることを示す、状態取得要求信号に対する初期設定応答信号を、携帯型情報機器１へ送信する。
【００４１】
携帯型情報機器１は、初期設定応答信号を受信すると、携帯型情報機器１内に格納されているホスト情報機器２に関する個人設定Ａを、ホスト情報機器２に対してアップロードする（２０５ａ）。ホスト情報機器２は、個人設定Ａを受信すると、個人設定Ａをホスト情報機器２に設定し及び/または車に適用させるための処理を行う。なお、個人設定Ａを自動車に適用（反映）させるための処理の詳細については後述する。ホスト情報機器２は、個人設定Ａをホスト情報機器２に設定し及び/または車に適用させることに成功した場合、ホスト情報機器２の状態を「初期設定状態」から「個人設定完了状態」に遷移させる（２０６ａ）。そして、ホスト情報機器２は、個人設定Ａがホスト情報機器２に設定されたこと、つまり個人設定Ａが車に適用されたこと、を示す完了通知を行う（２０５ａ）。なお、ホスト情報機器２は、個人設定Ａをホスト情報機器２に設定することに失敗した場合及び/または自動車に反映させることに失敗した場合、ホスト情報機器２の状態を「個人設定完了状態」に遷移させず、「初期設定状態」を維持する。この場合、ホスト情報機器２は、個人設定Ａをホスト情報機器２に設定することに失敗したこと及び/または自動車に反映させることに失敗したことを示す通知を携帯型情報機器１に行う。なお、その後、無線接続が切断されてもよいが、無線接続はホスト情報機器２と携帯型情報機器１との間で確立されたままであってもよい。
【００４２】
次に、図５を参照し、個人設定情報をダウンロードする場合における携帯型情報機器１とホスト情報機器２との間で行われる処理のタイミングの一例について説明する。  
ユーザによって自動車のエンジンがＯＦＦにされる（２０１ｂ）と、ホスト情報機器２と携帯型情報機器１との間で無線接続が確立される（２０２ｂ）。携帯型情報機器１は、ホスト情報機器２の状態の監視を開始する（２０３ｂ）。ホスト情報機器２の状態の監視は、例えば、携帯型情報機器１がホスト情報機器２の状態を問い合わせるための状態取得要求信号をホスト情報機器２へ送信すること、によって行われる。ホスト情報機器２の状態が「個人設定完了状態」であれば（２０３ｂ）、ホスト情報機器２は、「個人設定完了状態」であることを示す、状態取得要求信号に対する個人設定完了応答信号を、携帯型情報機器１へ送信する。なお、ホスト情報機器２は、ホスト情報機器２が「個人設定完了状態」でなければ、例えば、再び携帯型情報機器１から問う合わせを行うように指示するような通知を携帯型情報機器１に送ってもよい。
【００４３】
携帯型情報機器１は、個人設定完了応答信号を受信すると、ホスト情報機器２に設定されている個人設定Ｂをダウンロードするためのダウンロード要求信号をホスト情報機器２へ送信する（２０４ｂ）。ホスト情報機器２は、ダウンロード要求信号を受信すると、個人設定Ｂをダウンロードするための処理を行う（２０４ｂ）。その後、ホスト情報機器２は、ホスト情報機器２の状態を、「個人設定完了状態」から「初期設定状態」に遷移させる（２０５ｂ）。なお携帯型情報機器１及びホスト情報機器２は、ホスト情報機器２が動作を終了する場合、即ち自動車のエンジンがＯＦＦした場合等に、毎回ダウンロードの処理を実行しても良い。言い換えると、ホスト情報機器２が動作終了する場合に、携帯型情報機器１及びホスト情報機器２は、ユーザにダウンロードの要否を問い合わせることなく自動的に上述の処理を実行しても良い。
【００４４】
そして、ホスト情報機器２は、終了処理を行う（２０６ｂ）。終了処理とは、詳細は後述するが、例えば、起動しているホスト情報機器２の状態を、稼働状態からスタンバイまたはオフ状態に遷移させる処理等である。なお、この終了処理において、無線接続が切断されてもよい。
【００４５】
次に、図６のフローチャートを参照し、個人設定情報をアップロードする場合における、携帯型情報機器１の処理の手順の一例について説明する。  
始めに、ユーザが自動車のエンジンをＯＮすることによって、ホスト情報機器２の初期化が行われ、初期化が完了すると、ホスト情報機器２の状態が「初期設定状態」となる。無線通信部４０４は、ホスト情報機器２と携帯型情報機器との間の無線接続を確立する（３０１ａ）。ホスト情報機器状態監視部４０６は、無線接続が確立されると、ホスト情報機器２の状態を取得するために、ホスト情報機器２の状態の監視を開始する（３０２ａ）。ホスト情報機器状態監視部４０６によるホスト情報機器２の状態の監視の結果に基づき、ホスト情報機器２の状態が「初期設定状態」になっているか否かが判定される（３０３ａ）。ホスト情報機器２の状態が「初期設定状態」でない場合（３０３ａのＮＯ）、３０２ａに戻り、例えば、第１問い合わせ部４０６ａがホスト情報機器２の状態を再び問い合わせる。ホスト情報機器２の状態が「初期設定状態」である場合（３０３ａのＹＥＳ）、個人設定反映部４０７は、携帯型情報機器１内の個人設定格納部４０２ａに格納されているホスト情報機器２に関する個人設定Ａをホスト情報機器２に対してアップロードする（３０４ａ）。
【００４６】
次に、図７のフローチャートを参照し、個人設定情報をダウンロードする場合における、携帯型情報機器１の処理の手順の一例について説明する。  
始めに、ユーザが自動車のエンジンをＯＦＦすることによって、ホスト情報機器２と携帯型情報機器１との間で無線接続が確立されているか否かが判定される（３０２ａ）。無線接続が確立されていないと判定された場合（３０２ｂのＮＯ）、無線通信部４０４は、ホスト情報機器２と携帯型情報機器１との間で無線接続を確立するための処理を行う（３０１ｂ）。無線接続が確立されていると判定された場合（３０２ｂのＹＥＳ）、ホスト情報機器状態監視部４０６によってホスト情報機器２の状態の監視を行うことができるようになる。ホスト情報機器状態監視部４０６は、ホスト情報機器２の状態を取得するための処理を行う（３０３ｂ）。例えば、第２問い合わせ部４０６ｂが、ホスト情報機器２に対して、上述したような問い合わせを行う。
【００４７】
ホスト情報機器状態監視部４０６によるホスト情報機器２の状態の監視の結果に基づき、ホスト情報機器２の状態が「個人設定完了状態」になっているかどうか判定される（３０４ｂ）。ホスト情報機器２の状態が「個人設定完了状態」でない場合（３０４ｂのＮＯ）、ステップ３０３ｂに戻る。ホスト情報機器２の状態が「個人設定完了状態」である場合（３０４ｂのＹＥＳ）、個人設定取得部４０８は、個人設定Ｂをホスト情報機器２からダウンロードする（３０５ｂ）。このように、個人設定Ｂをダウンロードすることによって、ユーザの個人設定情報をバックアップ及び更新することができる。
【００４８】
なお、アップロードまたはダウンロードを１度行った後、再びアップロードまたは再びダウンロードを行う場合について述べる。  
例えば、複数の携帯型情報機器の各々が、各々の個人設定情報をホスト情報機器２に設定する場合を想定する。この場合において、図１に示すような個人設定Ａをアップロードした携帯型情報機器１とは異なる携帯型情報処理装置（以下、第２の携帯型情報機器と称す。）がアップロードしようと試みたと仮定する。この場合、ホスト情報機器２は第２の携帯型情報機器からのアップロードを許可しないための処理を行う。
【００４９】
一方、第２の携帯型情報機器からではなく携帯型情報機器１から再びアップロードが行われた場合、ホスト情報機器２はアップロードを許可するための処理をする。ダウンロードを再び行う場合に関しても、ホスト情報機器２は、携帯型情報機器１からの再びのダウンロードに対しては許可するための処理をするが、第２の携帯型情報機器からの再びのダウンロードに対しては許可しないための処理をする。
【００５０】
このように、本実施形態では、ホスト情報機器２が個人設定完了状態になった後、個人設定情報を再びアップロード、及び現在の個人設定情報を再びダウンロードを行いたい場合、ホスト情報機器２に対して個人設定を行った携帯型情報機器１のみに対してその権限が与えられる。つまり、ホスト情報機器２には複数の携帯情報機器が無線接続可能だが、個人設定に関する操作を行うことができる機器はその中でも、最初に個人設定を行った携帯型情報機器１のみである。
【００５１】
なお、再アップロードは、例えば、携帯型情報機器１に格納されている個人設定情報を、携帯型情報機器１内で、変更や更新等の処理を行った場合に行われる。また、上述したように、ダウンロードの処理は、図５に示すような終了処理時には必ず行うが、再ダウンロードは、この終了処理時以外、例えば終了処理よりも前に行なってもよい。ただし、この場合、図５の２０５ｂ及び２０６ｂに示すような処理は行わなくてもよい。
【００５２】
また、図１において、アップロード時の個人設定情報（図１で、個人設定Ａ）とダウンロード時の個人設定情報（図１で、個人設定Ｂ）とは異なる個人設定情報であるが、個人設定Ａはホスト情報機器２に設定された後、例えば個人設定Ａに基づき、またはユーザインターフェース等を用いたユーザの操作に応じて、ホスト情報機器２に設定されている個人設定情報が更新されたからである。
【００５３】
以下、上述したことをさらに詳細に述べる。  
まず、本実施形態におけるトリガに関して説明する。  
無線接続を確立するための処理の開始、アップロードのための処理の開始、及びホスト情報機器２を起動するための処理の開始は、自動車のエンジンをＯＮにすること、携帯型情報機器１をホスト情報機器２に近接させること、または電子キーを用いて自動車のドアロック等の解除を行うこと等をトリガとしてもよい。
【００５４】
また、無線接続を確立するための処理の開始は、ホスト情報機器２を起動するための処理の開始をトリガとしてもよい。  
ダウンロードのための処理の開始及びホスト情報機器２をスタンバイ状態に遷移させるための処理の開始は、自動車のエンジンをＯＦＦにすることまたは携帯型情報機器１をホスト情報機器２に近接させること等をトリガとしてもよい。
【００５５】
携帯型情報機器１をホスト情報機器２に近接させることに関して、例えば、自動車のエンジンをＯＮにした後、携帯型情報機器１をホスト情報機器２に近接させることでアップロードを開始し、その後、携帯型情報機器１をホスト情報機器２から遠ざけ、再び携帯型情報機器１をホスト情報機器２に近接させることでダウンロードを開始するような場合が想定される。なお、携帯型情報機器１をホスト情報機器２に近接させることとは、携帯型情報機器１を近接しているホスト情報機器２から遠ざけることであってもよい。
【００５６】
また、ホスト情報機器２は、ユーザによる所定の操作に応じて、起動されてもよい。所定の操作とは、例えば、携帯型情報機器１に対してユーザがホスト情報機器２を起動するための操作、または自動車内に設置されているホスト情報機器２を起動するためのボタン等のユーザによる操作、等である。
【００５７】
次に、上述した携帯型情報機器は、ホスト情報機器２と通信することが可能な小型情報機器であればよいので、コンピュータでなくてもよく、例えば、携帯型情報機器は、携帯電話、スマートフォン、ＰＤＡ等であってもよい。
【００５８】
また、携帯型情報機器１は複数の個人設定情報を格納することができる。例えば、ユーザが複数の自動車を利用する場合、携帯型情報機器１は、複数の自動車の各々に対応する個人設定情報、換言すると車種ごとのプロファイル、を格納することができる（プロファイル化）。
【００５９】
ホスト情報機器２と通信するのは、上述したように１つの携帯型情報機器２であるが、２つ以上の異なる携帯型情報機器２の各々とホスト情報機器２との間とで通信することができる。ただし、ホスト情報機器２に設定されている個人設定情報を変更することができる携帯型情報機器２は、最初にホスト情報機器２と接続を確立した携帯型情報機器２、換言すると、個人設定Ａをホスト情報機器２にアップロードした携帯型情報機器２である。つまり、ホスト情報機器２に設定される個人設定情報は、排他的であり、個人設定情報をアップロードした端末とは異なる他の端末によって変更されない。また、２つ以上の異なる携帯型情報機器２の各々は、ホスト情報機器２と同時に無線接続が確立されていてもよい。
【００６０】
２つ以上の異なる携帯型情報機器２がホスト情報機器２と通信する場合の一例を述べる。例えば、個人設定情報がホスト情報機器２に設定されている場合を想定する。さらに、第２の携帯型情報機器が、ホスト情報機器２との間で無線接続を確立したと仮定する。この場合、第２の携帯型情報機器は、その際ホスト情報機器２に設定されている個人設定情報、換言すると個人設定Ａと関連する個人設定情報、とは異なる設定情報（以下、非個人設定情報と称す。）を変更するための制御を行うことが可能である。非個人設定情報とは、ドライバーの座席の状態等のようなドライバーの運転の妨げになるような個人設定情報ではない個人設定情報である。非個人設定情報は、例えば、自動車内で視聴するような音楽に関する情報である。さらに、第２の携帯型情報機器は、第２の携帯型情報機器内に格納されている非個人設定情報に関するデータをホスト情報機器２にアップロードすることができる。このように、音楽等の設定等は他のユーザによって変更されることができてもよい。
【００６１】
ホスト情報機器２に関して、ホスト情報機器２は自動車に備え付けの装置であるが、ホスト情報機器２を搭載するのは自動車でなくてもよい。ホスト情報機器２は、ホスト情報機器２に設定する個人設定情報と関連する機械に搭載されていればよい。ホスト情報機器２は、自動車以外に、例えばバイクまたは船等の乗り物に搭載されていてもよい。また、ホスト情報機器２は、自動車等に組み込まれていてもよいため、携帯型情報機器を用いずにホスト情報機器２を操作するためのボタン等のユーザインターフェースを自動車内に備えていなくてもよい。
【００６２】
また、ホスト情報機器２が自動車等に備え付けられていなくてもよい。具体的には、ホスト情報機器２が自動車等の外部にある場合を想定することができる。この場合、携帯型情報機器からホスト情報機器２にアップロードされた個人設定情報に基づき、ホスト情報機器２は、自動車等に適用させるための処理を自動車等の部品の一部、例えば自動車等の部品を制御するためのモジュール、に行わせるための処理をしてもよい。
【００６３】
自動車等に適用させるための処理とは、携帯型情報機器１からアップロードされた個人設定情報に基づき、ホスト情報機器２に設定されている個人設定情報を自動車等に反映させるための処理である。この反映させるための処理とは、具体的には、座席の位置に関する情報が設定されていた場合、座席の位置を変更するための自動車の部品の一部である制御モジュールに、座席の位置に関する情報に基づき、座席の位置を移動させる等の処理をさせることである。
【００６４】
また、上述したホスト情報機器２は、内蔵するメモリ容量が少ないサーバーを想定しているが、ホスト情報機器２は、内蔵するメモリ容量にかかわらず、サーバーとして機能する装置であってもよい。具体的には、ホスト情報機器２に内蔵するメモリ容量が、１つの携帯型情報機器１内に格納されている個人設定情報及び非個人設定情報を少なくとも格納することができるようなメモリ容量である場合であってもよい。この場合、非個人設定情報には、例えば音楽等のコンテンツのデータを含む場合を想定する。この場合、自動車には、例えば自動車の外部にあるデータセンタのような大容量のクラウド用のサーバーとは異なる小容量のサーバーが、搭載されていてもよい。
【００６５】
無線接続に関して、無線接続は、例えばＷｉＦｉ（登録商標）またはＢｌｕｅｔｏｏｔｈ（登録商標）等であればよい。また、無線接続は、ホスト情報機器２及び携帯型情報機器１の何れから接続するための処理を開始するかを限定しない。例えば、ホスト情報機器２が携帯型情報機器１をサーチしている状態を想定すると、携帯型情報機器１からホスト情報機器２に無線接続を開始するための信号を送信してもよい。
【００６６】
近接状態を検出するため方法は、例えばＴｒａｎｓｆｅｒＪｅｔ（登録商標）を使用してもよい。また、近接状態を検出するために、一定の時間間隔でホスト情報機器２はポーリング信号を送信していてもよい。
【００６７】
また、カーシェアリングは、１つの自動車あるいは１つのホスト情報機器２が複数のユーザによって、例えば時間ごとにスケジュールすることで、１つの自動車あるいは１つのホスト情報機器２をシェアすることであってもよい。
【００６８】
次に、電子キーに関してさらに詳細に述べる。上述した電子キーは、例えば、自動車のドアロックを解除するための自動車のキーである。電子キーは、携帯型情報機器２とは異なる端末、つまり携帯型情報機器２に組み込まれたスマートキーのような端末とは異なる端末、を想定しているが、電子キーは携帯型情報機器２と一体となったものでもよい。
【００６９】
本実施形態では、複数の携帯型情報機器を想定した場合のＩＤ認証に関して、例えば、複数の携帯型情報機器の各々に異なるＩＤが割り当てられる。具体的には、カーシェアリングを始める場合において、例えばユーザが所持するような携帯型情報機器に対して固有のＩＤを割り当てることができる。この固有のＩＤは、他の携帯型情報機器と区別することができるようなＩＤであればよい。例えば、固有のＩＤはランダムに生成されてもよい。ただし、本実施形態では、ＩＤによる携帯型情報機器の認証を行うかどうかにかかわらず、上述したように、携帯型情報機器２が、ホスト情報機器２の状態に基づき、個人設定情報をアップロードまたはダウンロードすることができる。なお、ＩＤによる携帯型情報機器の認証処理は、個人設定情報をホスト情報機器２に設定することが可能な携帯型情報機器１であり、且つホスト情報機器２に個人設定情報が設定されている場合は、第２の携帯型情報機器ではないこと、つまり他人ではないこと、を認証するための処理であればよいので、ＩＤによる携帯型情報機器の認証処理は上述したようなクラウド用のサーバーを介して行われてもよい。
【００７０】
次に、図５に示す２０６ｂにおける終了処理の詳細について述べる。終了処理は、上述したようにホスト情報機器２をスタンバイ状態に遷移させる以外の処理も含まれる。例えば、２０６ｂで、ホスト情報機器２は、携帯型情報機器２との無線接続との間で確立されている無線接続を切断させる処理を行ってもよい。その他にも、ホスト情報機器２は、２０６ｂで、初期設定情報に基づき、ホスト情報機器２を初期設定に設定するための処理を行ってもよい。なお、この初期設定を設定するための処理は、上述したような初期設定状態に遷移するための処理とは異なる。初期設定情報とは、例えば、予めホスト情報機器２に格納されているようなホスト情報機器２のデフォルトの設定情報である。具体的には、初期設定情報は、複数のユーザの各々が自動車を使用する際、仮に自動車を使用しているユーザが個人設定情報をホスト情報機器２に設定しなかった場合においても、そのユーザが自動車を運転することができるような設定情報である。また、初期設定情報は、例えば、カーナビのデフォルトの設定等の非個人設定情報に関するデフォルトの設定情報であってもよい。ホスト情報機器２は、携帯型情報機器１に個人設定Ｂを送信した後、初期設定情報に基づき、初期設定を設定する。また、初期設定はユーザが自動車を運転していない場合に設定されていてもよい。なお、上述したスタンバイ状態とは、例えば、上述したようなホスト情報機器２を起動させるためのトリガに基づき、ホスト情報機器２が起動することができるような状態であってもよい。つまり、スタンバイ状態とは、ホスト情報機器２のデフォルト状態である。
【００７１】
２０６ｂにおける終了処理で、初期設定情報に基づき初期設定を設定する代わりに、所定の複数のユーザに共通の共通設定情報に基づき共通設定を設定してもよい。共通設定情報とは、例えば、カーシェアリングする自動車を共有する所定の複数のユーザの各々に共通する設定情報である。共通設定情報は、具体的には、所定の複数のユーザの各々によって、例えばホスト情報機器２に、予め設定されていてもよい。またホスト情報機器２は、２０５ｂにおける終了処理で、当該ホスト情報機器２の管理者権限を携帯型情報機器１に与え、当該携帯型情報機器１からアップロードされた個人設定Ａにより設定される状態を「初期設定状態」としても良い。またホスト情報機器２は、「個人設定完了状態」から「初期設定状態」に遷移させた後にも保持する個人設定やコンテンツを指定する操作入力を受け付け、当該操作入力に応じて「初期設定状態」にて保持する個人設定やコンテンツを決定しても良い。
【００７２】
あるいは、２０６ｂにおける終了処理で、ホスト情報機器２は、携帯型情報機器２に送信した個人設定Ｂがホスト情報機器２内に情報あるいはデータ等として残っている場合、その情報あるいはデータ等を消去するための処理を行ってもよい。
【００７３】
図４の２０４ａにおいて、アップロードの要求は携帯型情報機器１から問い合わせているが、個人設定Ａをアップロードすることを要求するための問い合わせをホスト情報機器２から行ってもよい。または、ホスト情報機器２が初期設定状態であることを、ホスト情報機器２が携帯型情報機器２に通知してもよい。
【００７４】
ＣＰＵ５０１ａは、アプリケーションプログラム以外にもＲＯＭ５０２からＲＡＭ５０３にロードされるＯＳを実行してもよい。  
アップロードすることは、個人設定情報をホスト情報機器２に送信することに加えて、例えば、ホスト情報機器２に個人設定情報を設定することまたはホスト情報機器２に設定された個人設定情報を自動車等に反映させることを含んでもよい。
【００７５】
ダウンロードすることは、携帯型情報機器１が個人設定情報を受信することであり、携帯型情報機器１が個人設定情報を取得することであり、あるいはホスト情報機器２が個人設定情報を送信することである。
【００７６】
また、図１に示す個人設定Ａと個人設定Ｂとは異なる個人設定を想定しているが、例えば、個人設定Ａがアップロードされた後、ホスト情報機器２内で個人設定Ａが更新等されなかった場合、個人設定Ａと個人設定Ｂとが同一の設定情報を示していてもよい。
【００７７】
また、図５に示すようなダウンロードを行うための処理の際、ホスト情報機器２に設定されている設定情報である現在設定情報は、ダウンロードを行うための処理を開始する際、ホスト情報機器２に設定されている設定情報であってもよい。
【００７８】
また、図３に示す状態管理部５０７は、上述したような状態以外にも、ホスト情報機器２の起動状態及びスタンバイ状態等を管理してもよい。システム制御部５０１は、上述したような初期化を行ってもよい。また、システム制御部５０１は、上述したデフォルト状態を示す初期設定及び共通設定を設定するための処理を行ってもよい。
【００７９】
以上説明したように、本実施形態において、自動車のような車に関する個人設定情報を、自動車のホスト情報機器２等にではなく、ユーザが所持することができるような携帯型の情報機器に、格納することができる。そのため、自動車が複数のユーザによって使用される場合、各ユーザの個人設定情報をホスト情報機器２に保持しておく必要がなくなる。これにより、ホスト情報機器２内のメモリ肥大化を防ぐことができる。そのため、例えば、ホスト情報機器２内のＲＡＭの容量内で、個人設定情報だけでなく、“ナビゲーション履歴”、“音楽または動画のプレイリスト”等の他の設定情報もアップロード可能である。また、１つの携帯型情報機器１内に車種ごとのプロファイルを持ち、そのプロファイルを管理することが可能であるため、車種ごとの複数の携帯型情報機器をユーザが携帯する必要がない。また、アップロードによってホスト情報機器２に設定されている個人設定情報を変更するための権限は、その個人設定情報をアップロードした携帯型情報機器１または最初にホスト情報機器２と無線接続を確立した携帯型情報機器１、に与えられる。そのため、個人設定に関する情報は、ドライバーではない他人によって変更されることを防ぐことができる。
【００８０】
また、携帯型情報機器１からホスト情報機器２への個人設定情報のアップロードはホスト情報機器２の状態が「初期設定状態」である場合に実行され、ホスト情報機器２から携帯型情報機器１への個人設定情報のダウンロードはホスト情報機器２の状態が「個人設定完了状態」である場合に実行される。したがって、ある携帯型情報機器からアップロードされた個人情報が既に車に適用されている場合には、この設定が、別の携帯型情報機器から新たにアップロードされる個人設定情報によって変更されてしまうことを防止することができる。また、携帯型情報機器１に格納されている個人設定Ａの内容が誤って初期設定値などに変更されてしまうことを防止することができる。また、携帯型情報機器１からホスト情報機器２の状態を問い合わせることによって、携帯型情報機器１は、単なる個人設定情報を格納しておくだけのメディアとしてではなく、ホスト情報機器２との通信において主体として動作することができる。そのため、携帯型情報機器１は、例えばユーザよる携帯型情報機器１の操作に応じて、アップロードまたはダウンロードに関連する処理を行うこともできる。
【００８１】
また、従来のように、ホスト情報機器２に複数のＩＤと対応付けた個人設定情報に関するテーブルを格納する方式では、複数のＩＤ分のコンテンツ等を含む莫大なデータ量をホスト情報機器２に格納しなければならないが、本実施形態では、このようなことを回避することができる。また、ホスト情報機器２と携帯型情報機器１とは１対１で接続され、アップロードからダウンロードまでの間、ホスト情報機器２にはアップロードした個人設定情報に基づく個人設定情報が設定されている状態を維持すればよいため、従来のように、ＩＤを個人設定情報に紐付けする、つまりＩＤと個人設定情報と関連付ける、必要がない。
【００８２】
また、ユーザは自動車に近づくだけで、自動車に個人設定を自動で行うことができ、さらにユーザが自動車から降りる場合、つまりエンジンをＯＦＦにする際、自動車に設定されている個人設定情報を消去等することできるため、他人が個人設定情報を利用することを防ぐことができる。
【００８３】
また、本実施形態では、携帯型情報機器１からアップロードの問い合わせ及びダウンロードの問い合わせを行うため、携帯型情報機器１からの要求がない場合における、個人設定情報の変更等の操作を防ぐことができる。つまり、本実施形態における方式は、従来のようにホスト情報機器２と携帯型情報機器１との間でデータが交換されるような方式とは異なる。すなわち、携帯型情報機器１は、個人設定情報等を格納しているだけの記憶媒体ではない。
【００８４】
本実施形態の図２及び図３に示されているような各部の機能は、ソフトウェア（プログラム）によって実現することもできる。さらに、このソフトウェアを格納したコンピュータ読み取り可能な記憶媒体を通じてこのソフトウェアを通常のコンピュータにインストールして実行することにより、本実施形態と同様の効果を容易に実現することができる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
１…携帯型情報機器、２…ホスト情報機器、４０２ａ…個人設定格納部、４０４…無線通信部、４０５…接続管理部、４０６…ホスト情報機器状態監視部、４０６ａ…第１問い合わせ部、４０６ｂ…第２問い合わせ部、４０７…個人設定反映部、４０８…個人設定取得部、４０９…近接検出部、５０７…状態管理部。
【図１】
0005296187.tif 000002
【図２】
0005296187.tif 000003
【図３】
0005296187.tif 000004
【図４】
0005296187.tif 000005
【図５】
0005296187.tif 000006
【図６】
0005296187.tif 000007
【図７】
0005296187.tif 000008